(57)【要約】【課題】  ブロー水が保有する排熱を有効利用しつつ、ブロー水タンク内のブロー水温度を速やかに設定温度未満とし、所定の耐熱温度を有する中和装置の劣化や能力低下を防止する。【解決手段】 ブロー水タンク３への冷却水供給手段２１と、ブロー水温を検出する水温検出器１８と、給水タンク１６内の水位を検出する水位検出器１６とを備え、制御器２５は、水位検出器１６による検出水位に応じて給水予熱器７への給水を行うとともに、ポンプ６を駆動して給水予熱器７へブロー水を循環供給して前記ブロー水タンク３内の水温を低下させる給水冷却工程を行い、給水冷却工程によっても前記検出温度が設定温度未満に低下しないとき、ブロー水タンク３への冷却水を供給してブロー水タンク３内の水温を低下させる冷却水冷却工程を行う。【選択図】図１
2012251685.tif 000002
【特許請求の範囲】
【請求項１】
ボイラと、前記ボイラのブロー水を貯留するブロー水タンクと、前記ブロー水タンクから排出されるブロー水を中和処理する中和装置と、前記ブロー水タンク内のブロー水の前記中和装置への供給、停止を制御するブロー水排出手段と、前記ブロー水タンク内のブロー水を循環させるポンプおよび給水予熱器を有する循環路と、前記ボイラと前記給水予熱器との間に設けられ給水を貯留する給水タンクと、前記給水タンクへの給水の供給、停止を制御する給水供給手段と、前記ポンプ，前記給水供給手段および前記ブロー水排出手段を制御する制御器とを備えるブロー水中和処理システムであって、
前記ブロー水タンクへの冷却水供給手段と、前記ブロー水タンク内の水温を検出する水温検出器と、前記給水タンク内の水位を検出する水位検出器とを備え、
前記制御器は、前記水位検出器による検出水位に応じて前記給水供給手段を制御して前記給水予熱器への給水を行うとともに、前記ポンプを駆動して前記給水予熱器へブロー水を循環供給して前記ブロー水タンク内の水温を低下させる給水冷却工程を行い、前記給水冷却工程によっても前記検出温度が設定温度未満に低下しないとき、前記冷却水供給手段を制御して前記ブロー水タンクへの冷却水を供給して前記ブロー水タンク内の水温を低下させる冷却水冷却工程を行う
ことを特徴とするブロー水中和処理システム。
【請求項２】
前記制御器は、前記水温検出器による検出温度が前記設定温度以上で、かつ前記水位検出器による検出水位が設定水位未満のとき前記給水冷却工程を行い、前記設定水位以上となると、前記給水冷却工程を停止し、前記冷却水冷却工程を行う
ことを特徴とする請求項１に記載のブロー水中和処理システム。
【発明の詳細な説明】
【技術分野】
【０００１】
この発明は、ボイラのブロー水からの熱回収とブロー水の中和処理を行うブロー水中和処理システムに関する。
【背景技術】
【０００２】
ボイラと、ボイラのブロー水を貯留するブロー水タンクと、ブロー水タンク内のブロー水を循環させるポンプおよび給水予熱器を有する循環路と、ボイラと給水予熱器との間に設けられ給水を貯留する給水タンクと、給水タンクへの給水の供給、停止を制御する給水供給手段と、ポンプおよび給水供給手段を制御する制御器とを備えるブロー水中和処理システムは、特許文献１にて知られている。このようなブロー水中和処理システムにおいては、一般的に、ブロー水タンクから排出されるブロー水が中和装置へ供給されて中和処理される。
【先行技術文献】
【特許文献】
【０００３】
【特許文献１】特開２００８−１５１４４０号公報
【発明の開示】
【発明が解決しようとする課題】
【０００４】
この発明が解決しようとする課題は、ブロー水が保有する排熱を有効利用しつつ、ブロー水タンク内のブロー水温度を速やかに設定温度未満とし、所定の耐熱温度を有する中和装置の劣化や能力低下を防止するとともに、排水温度が規制される場合に所定の温度以下まで冷却して排水を行うことである。
【課題を解決するための手段】
【０００５】
この発明は、前記課題を解決するためになされたもので、請求項１に記載の発明は、ボイラと、前記ボイラのブロー水を貯留するブロー水タンクと、前記ブロー水タンクから排出されるブロー水を中和処理する中和装置と、前記ブロー水タンク内のブロー水の前記中和装置への供給、停止を制御するブロー水排出手段と、前記ブロー水タンク内のブロー水を循環させるポンプおよび給水予熱器を有する循環路と、前記ボイラと前記給水予熱器との間に設けられ給水を貯留する給水タンクと、前記給水タンクへの給水の供給、停止を制御する給水供給手段と、前記ポンプ，前記給水供給手段および前記ブロー水排出手段を制御する制御器とを備えるブロー水中和処理システムであって、前記ブロー水タンクへの冷却水供給手段と、前記ブロー水タンク内の水温を検出する水温検出器と、前記給水タンク内の水位を検出する水位検出器とを備え、前記制御器は、前記水位検出器による検出水位に応じて前記給水供給手段を制御して前記給水予熱器への給水を行うとともに、前記ポンプを駆動して前記給水予熱器へブロー水を循環供給して前記ブロー水タンク内の水温を低下させる給水冷却工程を行い、前記給水冷却工程によっても前記検出温度が設定温度未満に低下しないとき、前記冷却水供給手段を制御して前記ブロー水タンクへの冷却水を供給して前記ブロー水タンク内の水温を低下させる冷却水冷却工程を行うことを特徴としている。
【０００６】
請求項１に記載の発明によれば、まず前記給水タンクの水位に応じた給水制御により前記給水冷却工程を行い、前記給水冷却工程によっても前記検出温度が設定温度未満に低下しないとき、前記冷却水冷却工程を行うので、ブロー水が保有する排熱を有効利用しつつ、ブロー水タンク内のブロー水を速やかに設定温度未満にすることができる。
【０００７】
請求項２に記載の発明は、請求項１において、前記制御器は、前記水温検出器による検出温度が前記設定温度以上で、かつ前記水位検出器による検出水位が設定水位未満のとき前記給水冷却工程を行い、前記設定水位以上となると、前記給水冷却工程を停止し、前記冷却水冷却工程を行うことを特徴としている。
【０００８】
請求項２に記載の発明によれば、請求項１に記載の発明による効果に加えて、前記給水タンクへの給水要求が無くても、前記給水タンクの水位が設定水位未満で、かつ前記ブロー水タンク内の水温が前記設定温度以上であると、前記給水予熱器へ給水して、前記給水冷却工程を行うので、徒に冷却水を用いることなく、速やかにブロー水タンク内のブロー水温度を設定温度未満とすることができるという効果を奏する。また、前記水位検出器による検出水位が前記設定水位以上となると、前記冷却水供給手段による冷却水供給を停止するので、前記給水タンクのオーバーフローを防止できるという効果を奏する。
【発明の効果】
【０００９】
この発明によれば、ブロー水が保有する排熱を有効利用しつつ、ブロー水タンク内のブロー水温度を速やかに設定温度未満として、所定の耐熱温度を有する中和装置の劣化や能力低下を防止するとともに、排水温度が規制される場合に所定の温度以下まで冷却して排水を行うことができるという効果を奏する。
【図面の簡単な説明】
【００１０】
【図１】この発明の実施例１のブロー水処理システムの概略構成図である。
【図２】同実施例１の制御手順を説明するフローチャート図である。
【図３】この発明の実施例２の制御手順を説明するフローチャート図である。
【発明を実施するための形態】
【００１１】
つぎに、この発明の実施の形態について説明する。この発明の実施の形態は、ブロー水タンクのブロー水を設定温度未満とした状態で、中和装置へ供給して中和処理するブロー水処理システムに実施される。
【００１２】
この実施の形態のブロー水中和処理システムは、ボイラと、前記ボイラのブロー水を貯留するブロー水タンクと、前記ブロー水タンクから排出されるブロー水を中和処理する中和装置と、前記ブロー水タンク内のブロー水の前記中和装置への供給、停止を制御するブロー水排出手段と、前記ブロー水タンク内のブロー水を循環させるポンプおよび給水予熱器を有する循環路と、前記ボイラと前記給水予熱器との間に設けられ給水を貯留する給水タンクと、前記給水タンクへの給水の供給、停止を制御する給水供給手段と、前記ポンプ，前記給水供給手段および前記ブロー水排出手段を制御する制御器とを備えている。前記循環路は、循環ラインと称することができる。
【００１３】
この実施の形態の特徴とするところは、前記ブロー水タンクへの冷却水供給手段と、前記ブロー水タンク内の水温を検出する水温検出器と、前記給水タンク内の水位を検出する水位検出器とを備え、前記制御器は、前記水位検出器による検出水位に応じて前記給水供給手段を制御して前記給水予熱器への給水を行うとともに、前記ポンプを駆動して前記給水予熱器へブロー水を循環供給して前記ブロー水タンク内の水温を低下させる給水冷却工程（第一冷却工程と称することができる。）を行い、前記給水冷却工程によっても前記検出温度が設定温度未満に低下しないとき、前記冷却水供給手段を制御して前記ブロー水タンクへの冷却水を供給して前記ブロー水タンク内の水温を低下させる冷却水冷却工程（第二冷却工程と称することができる。）を行う構成にある。
【００１４】
この実施の形態においては、前記検出温度が前記設定温度未満のとき、前記ブロー水排出手段を制御して前記ブロー水タンクから前記中和装置へブロー水を排出するように構成
する。この場合、好ましくは、前記検出温度が前記設定温度未満の条件に加えて、前記ブロー水タンク内の水位が設定水位以上の条件を同時に満たしたときに、ブロー水を排出するように構成する。こうすることで、前記ブロー水タンク内のブロー水をバッチ的に中和処理でき、前記ブロー水タンク内のブロー水を連続的に中和処理するものと比較して、前記中和装置や弁類の動作回数を制限し、早期故障の発生を抑えることができる。
【００１５】
この実施の形態において、前記設定温度は、前記中和装置の耐熱温度および前記中和装置から排出される排水温度の規制値により定められ、例えば４０℃とするが、これに限定されるものではない。また、前記水温検出手段は、好ましくは、前記ブロー水タンク内のブロー水を直接的に検出するものとするが、前記ブロー水タンク以外の前記循環路のブロー水温度を検出することで、前記ブロー水タンク内のブロー水温度を間接的に検出するように構成することができる。
【００１６】
この実施の形態によれば、まず、前記給水タンクの水位に応じて、前記給水冷却工程が行われ、この給水冷却工程によっても前記ブロー水タンク内の水温が設定値未満とならない場合は、前記冷却水弁を開き、前記冷却水冷却工程により、前記ブロー水タンク内の水温を前記設定値未満に制御する。
【００１７】
この実施の形態においては、好ましくは、前記制御器は、前記水温検出器による検出温度が設定温度（第一設定温度）以上で、かつ前記水位検出器による検出水位が設定水位未満のとき前記給水冷却工程を行い、前記設定水位以上となると、前記給水冷却工程を停止し、前記冷却水冷却工程を行うように構成する。
【００１８】
この好ましい実施の形態によれば、前記給水タンクの水位制御のための給水要求が無くても、前記水位検出器による前記検出水位が前記設定水位未満で、かつ前記検出温度が設定温度以上を検出すると、前記制御器は、前記給水供給手段を制御して、前記給水予熱器への給水を開始するとともに、前記ポンプを駆動し、前記給水冷却工程を行う。その結果、前記ブロー水タンク内のブロー水は、前記循環路を循環する間に前記給水予熱器にて冷却されるとともに、ブロー水の排熱が給水へ回収される。前記給水予熱器を通過した給水は、前記給水タンクに貯留される。
【００１９】
前記検出温度が前記第一設定温度未満（前記第一設定値よりディファレンシャル分低い第二設定温度）となると、前記制御器は、前記給水予熱器への給水を停止するとともに、前記ポンプを停止する。ここで前記ポンプは運転を続けてもよい。前記ポンプの運転を継続することで、前記ブロー水タンク内の温度分布を一様にすることができる。
【００２０】
前記実施の形態の前記冷却水冷却工程においては、好ましくは、前記水位検出器による前記検出水位が前記設定水位未満という条件を満たすとき、前記給水冷却工程を同時に行うように構成する。この構成を採用することにより、前記冷却水冷却工程だけのものと比較して、ブロー水の水温を第二設定温度とするまでの冷却時間を短縮できる。
【００２１】
前記冷却水供給手段は、好ましくは、冷却水を前記ブロー水タンクへ直接供給する構成とするが、冷却水の供給時、前記ポンプを駆動するように構成すれば、前記ブロー水タンク以外の前記循環路へ供給するように構成することができる。
【００２２】
この好ましい実施の形態によれば、前記制御器が前記給水冷却工程によって前記検出温度が第一設定温度未満に低下しないと判定すると、冷却水が前記ブロー水タンク内へ供給され、前記ブロー水タンク内の水温が低下する。そして、前記検出温度が第一設定温度未満のとき、前記ブロー水タンクから前記中和装置へブロー水が供給される。これにより、前記中和装置へ設定温度以下（耐熱温度以下）のブロー水が供給される。
【００２３】
また、前記検出水位が設定水位以上となると、前記給水供給手段による給水供給が停止されるので、前記給水タンクのオーバーフローが防止される。同時に、前記給水予熱器によるブロー水の冷却に代えて、冷却水の供給によるブロー水の冷却が行われる。
【００２４】
ここで、この実施の形態のブロー水中和処理システムの構成要素を説明する。前記ボイラは、特定の構成のボイラに限定されず、蒸気ボイラでも温水ボイラでもよい。
【００２５】
前記ブロー水タンクは、ブロー水がボイラからフラッシュして流入することから、またブロー水の冷却のために、大気開放型とする。
【００２６】
前記中和装置は、ブロー水を中和処理できるものであれば、特定の構成の中和装置に限定されない。この中和装置としては、炭酸ガスによる中和装置，薬品を使用する中和装置などが用いられる。
【００２７】
前記ブロー水排出手段は、前記ブロー水タンク内のブロー水の前記中和装置への供給、停止を制御することができればよく、モータバルブなどの弁類やポンプが用いられる。弁類を用いる場合、ブロー水にはスラッジが含まれるため、ゴミ噛みに弱い電磁弁より、ゴミ噛みに強いモータバルブを用いることが望ましい。
【００２８】
前記冷却用熱交換器は、この実施の形態では、給水予熱器であるが、給水とブロー水とを間接的に熱交換できるものであればよく、特定の構成のものに限定されない。前記ポンプも特定の構成のものに限定されない。
【００２９】
前記給水タンクは、前記ボイラに付設される周知のタンクを用いることができる。前記給水供給手段は、前記給水路に設けられ、前記給水タンクへの給水の供給、停止を制御するものであればよく、モータバルブなどの弁類や原水圧（機器二次圧）が低い場合ブースター用のポンプが用いられる。弁類を用いる場合、ウォーターハンマ低減の観点から電磁弁よりもモータバルブを用いることが望ましい。
【００３０】
前記水温検出器は、前記ブロー水タンク内の水温を検出するものであればよく、熱電対やサーミスタを用いることができる。この水温検出器の取付け位置は、前記中和装置の保護のために、前記ブロー水タンク内における前記中和装置へのブロー水の排出口付近が望ましい。
【００３１】
前記冷却水供給手段は、前記ブロー水タンクまたは前記循環路へ冷却水を供給する冷却水供給路に設けられ、前記ブロー水タンクまたは前記循環路への冷却水の供給、停止を制御するものであればよく、電磁弁などの弁類やポンプが用いられる。前記冷却水供給路の給水は、好ましくは、軟水器などの水処理を施す前の原水とするが、水処理を施した後の処理水とすることもできる。
【００３２】
前記制御器は、予め記憶した制御手順（制御プログラム）により、前記水温検出器，前記水位検出器などの信号を入力して、前記ポンプ，前記給水供給手段および前記ブロー水排出手段を制御する。ここで、前記制御手順には、シーケンス制御を含む。
【００３３】
制御手順には、中和制御手順と給水制御手順とが含まれる。前記中和制御手順には、ブロー水温度を設定値未満にするブロー水冷却制御手順と、前記ブロー水タンクからのブロー水の排出を制御するブロー水排出制御手順とが含まれる。前記給水制御手順は、前記給水タンクの水位を制御する給水タンク水位制御手順である。前記中和制御手順には、ブロー水タンクの水位を制御するブロー水タンク水位制御手順を含ませることができる。
【００３４】
前記ブロー水冷却制御手順は、前記給水冷却工程および前記冷却水冷却工程を行う手順を含む。
【００３５】
前記ブロー水排出制御手順は、前記ブロー水タンク内のブロー水温度が前記設定温度未満であるとき、ブロー水を排出する手順を含む。
【００３６】
前記給水タンク水位制御手順は、前記給水タンク内の水位が設定範囲内に収まるように前記給水供給手段を制御する手順を含んでいる。
【実施例１】
【００３７】
この発明の実施例１のブロー水処理システム１を図面に従い説明する。図１は、同実施例１のブロー水処理システムの概略構成図であり、図２は、同実施例１の制御手順を説明するフローチャート図である。図１の実線矢示は、給水の流れを示し、破線矢示は、ブロー水の流れを示す。図２でＢＴとは、ブロー水タンクを意味する。
【００３８】
(実施例１の構成)
この実施例１のブロー水中和処理システム１は、ボイラ２と、ボイラ２のブロー水を貯留するブロー水タンク３と、ブロー水タンク３から排出されるブロー水を炭酸ガスにより中和処理する中和装置４と、ブロー水タンク３内のブロー水の中和装置４への排水、停止を制御するブロー水排出手段としての排水弁５と、ブロー水タンク３内のブロー水を循環させる循環ポンプ６および冷却用熱交換器としての給水予熱器７を有する循環路８とを備えている。
【００３９】
排水弁５は、モータバルブよりなり、ブロー水タンク３と中和装置４とを結ぶ第一排水路９に設けている。中和装置４にて処理されたブロー水が第二排水路１０を通して排水される。
【００４０】
ボイラ２への給水路１１には、上流側から軟水器１２，給水弁１３，給水予熱器７，給水タンク１４，給水ポンプ１５を設けている。給水弁１３は、モータバルブよりなり、給水タンク１４への給水の供給、停止を制御する給水供給手段として機能する。
【００４１】
給水タンク１４には、給水タンク１４内の水位を検出する第一水位検出器１６と、ボイラ２の蒸気使用機器（図示省略）からのドレン水を導入するドレン路１７とを備えている。第一水位検出器１６には、給水タンク１４内の給水第一設定水位Ｈを検出する第一電極１６Ｈと、給水第二設定水位Ｌ（＜Ｈ）を検出する第二電極１６Ｌと、給水第三設定水位ＨＨ（＞Ｈ）を検出する第三電極１６ＨＨと、給水第四設定水位ＬＬ（＜Ｌ）を検出する第四電極１６ＬＬとを備えている。給水第三設定水位ＨＨは、給水第一設定水位Ｈのバックアップ水位として機能し、給水第四設定水位ＬＬは、給水第二設定水位Ｌのバックアップ水位として機能する。ここで「給水・・設定水位」の「給水」とは「給水タンクの」を意味する。
【００４２】
ブロー水タンク３には、タンク３内の水温を検出する水温検出器１８と、ブロー水タンク３内の水位を検出する第二水位検出器１９とを備えている。第二水位検出器１９には、ブロー水タンク３内の冷却第一設定水位Ｈを検出する第一電極１９Ｈと、冷却第二設定水位Ｌ（＜Ｈ）を検出する第二電極１９Ｌと、冷却第三設定水位ＨＨ（＞Ｈ）を検出する第三電極１９ＨＨとを備えている。ここで「冷却・・設定水位」の「冷却」とは「ブロー水タンクの」を意味する。
【００４３】
また、ブロー水タンク３には、ボイラ２のブロー水をタンク３内へ導入するブロー水導
入路２０と、軟水器１２の上流側の原水をタンク３内への供給、停止を制御する冷却水供給手段としての冷却水弁２１を設けた冷却水路２２とが接続されている。冷却水弁２１は、この実施例１では、電磁弁としている。
【００４４】
この実施例１のシステムには、給水制御器２３と中和制御器２４とからなる制御器２５を備えている。中和制御器２４には、中和装置４内の制御器２６を含む。この制御器２５は、予め記憶した制御手順（制御プログラム）により、水温検出器１８，第一水位検出器１６，第二水位検出器１９などの信号を入力して、循環ポンプ６，冷却水弁２１，給水弁１３，排水弁５などを制御する。給水ポンプ１５は、ボイラ２の制御器（図示省略）により缶体（図示省略）の水位に応じて制御される。
【００４５】
制御手順には、中和制御手順と給水制御手順とが含まれる。中和制御手順には、ブロー水温度を設定値未満にするブロー水冷却制御手順と、前記ブロー水タンクからのブロー水の排出を制御するブロー水排出制御手順とを含んでいる。
【００４６】
ブロー水冷却制御手順は、給水制御手順による給水冷却工程と、冷却水冷却工程とを行う手順であり、その一例を図２に示す。給水制御手順による給水冷却工程は、第一水位検出器１６による検出水位が給水第二設定水位Ｌ未満となると給水弁１３を開くとともに、循環ポンプ６を駆動して、給水予熱器７への給水を行い給水予熱器７にてブロー水タンク３内のブロー水を冷却する工程である。給水タンク１６内の水位が給水第一設定水位Ｈ以上となると給水弁１３を閉じ、循環ポンプ６を停止する。
【００４７】
冷却水冷却工程は、給水冷却工程によってもブロー水タンク内の水温が低下せず、水温検出器１８による検出温度Ｔが第一設定温度Ｔ１（この実施例１では４０℃）以上で、かつブロー水タンク３内の水位が冷却第三設定水位ＨＨ未満であると、冷却水弁２１を開いて冷却水を供給してブロー水タンク３内のブロー水を冷却して水温を低下させる工程である。冷却水弁２１は、検出温度Ｔが第二設定温度Ｔ２（＝Ｔ１−ΔＴ，ΔＴは制御ディファレンシャル）以下となるか、ブロー水タンク３内の水位が冷却第三設定水位ＨＨ以上で閉じる。
【００４８】
給水制御手順は、給水タンク１４内の水位が給水第一設定水位Ｈと給水第二設定水位Ｌ（＜Ｈ）との間の設定範囲内に収まるように給水弁１３を制御する手順であり、水温検出器１８による検出温度Ｔと無関係に行われる手順である。給水第一設定水位Ｈ以上で給水弁１３を閉じ、給水第二設定水位Ｌ以下で給水弁１３を開く。
【００４９】
（実施例１の動作）
ここで、この実施例１のシステムの動作を図面に従い説明する。今、ブロー水タンク３内にボイラ２のブロー水が冷却第一設定水位Ｈと冷却第二設定水位Ｌとの間で貯留され、給水タンク１４に給水第一設定水位Ｈまで給水が貯留されているとする。
【００５０】
図２を参照して、処理手順Ｓ１（以下、処理手順ＳＮを単にＳＮと称する。）において、前記給水制御手順が行われ、給水タンク１４内の水位は、給水第一設定水位Ｈと給水第二設定水位Ｌとの間に収まるように給水弁１３の開閉が制御される。この給水弁１３が開くときには、給水制御器２３から中和制御器２４へ循環ポンプ６を駆動する信号を送る。その結果、給水弁１３を開くとともに、循環ポンプ６が駆動され、ブロー水タンク３内の高温ブロー水は、循環路８を循環する間に給水予熱器７にて間接熱交換により冷却される。この給水冷却工程の冷却により、ブロー水の排熱がボイラ２への給水へ熱回収される。給水予熱器７を通過した給水は、給水タンク１４に貯留される。
【００５１】
ついで、Ｓ２において、ブロー水タンク３の水位が冷却第一設定水位Ｈ以下、かつブロ
ー水タンク３内の水温が第一設定温度Ｔ１以上かどうかを判定する。ＹＥＳが判定されると、Ｓ３へ移行して、冷却水弁２１を開く。すると、冷却水がブロー水タンク３へ供給されてブロー水を冷却する冷却水冷却工程が行われる。
【００５２】
ついで、Ｓ４で、ブロー水タンク３の水位が冷却第三設定水位ＨＨ以上かどうかを判定し、ＹＥＳが判定されると、Ｓ６へ移行して、冷却水弁２１を閉じる。Ｓ４で、ＮＯが判定されると、Ｓ５へ移行して、ブロー水タンク３内の水温が第二設定温度Ｔ２以下かどうかが判定される。ここで、ＹＥＳが判定されると、Ｓ６へ移行して、冷却水弁２１を閉じる。ＮＯが判定されると、Ｓ３へ移行して、冷却水の供給を継続する。
【００５３】
こうして、ブロー水タンク３内のブロー水温度は、第一設定温度Ｔ１未満に制御される。中和装置４は、中和制御器２４から第一設定温度Ｔ１未満の信号と、ブロー水タンク３の水位が冷却第一設定水位Ｈ以上であるとの信号を受けて、排水弁５を開き、中和処理を行う。ブロー水タンク３の水位が冷却第二設定水位Ｌを切ると、排水弁５を閉じ、中和処理を終了する。
【００５４】
この実施例１によれば、まず、給水タンク１４の水位に応じて、給水冷却工程が行われ、この給水冷却工程によってもブロー水タンク３内の水温が第二設定温度Ｔ２以下とならない場合は、冷却水弁２１を開き、冷却水冷却工程により、ブロー水タンク３内の水温を第一設定温度Ｔ１未満に制御する。こうして、給水冷却工程を優先的に行うことで、ブロー水の排熱を有効に回収しつつ、速やかにブロー水タンク３内のブロー水温度を第一設定温度Ｔ１未満とすることができる。
【００５５】
そして、検出温度Ｔが第一設定温度Ｔ１未満のとき、ブロー水タンク３から中和装置４へブロー水が供給されるので、中和装置４へ耐熱温度以上のブロー水が供給されることが防止され、中和装置４の耐久性を向上できるとともに、所期の中和処理性能を維持することができるとともに、中和装置４からの排水温度も目標温度以下とすることができる。
【実施例２】
【００５６】
つぎに、この発明の実施例２を図３に基づき説明する。図３でＢＴとは、ブロー水タンクを意味し、ＫＴとは、給水タンクを意味する。この実施例２は、前記実施例１とハード的構成が同じであるが、制御手順が異なるので、以下制御手順についてのみ説明する。
【００５７】
実施例２の制御手順には、実施例１の制御手順に加えて、水温検出器１８による検出温度Ｔが設定温度（第一設定温度Ｔ１）以上で、かつ水位検出器１６による検出水位が給水第三設定水位ＨＨ未満のとき給水冷却工程を行い、給水第三設定水位ＨＨ以上となると、給水冷却工程を停止し、冷却水冷却工程を行うように構成している。
【００５８】
この実施例２の制御手順を図３に示す。図３においてＳ１１がＳ１に、Ｓ１６がＳ３に、Ｓ４がＳ１７に、Ｓ１８がＳ５に、Ｓ２０がＳ６にそれぞれ対応する。
【００５９】
（実施例２の動作）
ここで、この実施例２のシステムの動作を図面に従い説明する。以下の説明では、実施例１と異なる動作を中心に説明する。図３を参照して、Ｓ１１では、実施例１のＳ１と同じ処理が行われる。
【００６０】
Ｓ１２で、給水タンク１４内の水位が給水第三設定水位ＨＨ未満で、かつブロー水タンク３内の水温が第一設定温度Ｔ１以上かどうかを判定する。ＹＥＳが判定されると、Ｓ１３へ移行して、給水弁１３を開くととともに、循環ポンプ６を駆動する。このＳ１３の処理は、Ｓ１１で、給水弁１３が閉じていても行われ、Ｓ１１と同様の給水冷却工程が実行
される。
【００６１】
ついで、Ｓ１４において、給水タンク１４内の水位が給水第三設定水位ＨＨ以上かどうかを判定する。ＹＥＳが判定されると、給水弁１３を閉じる。ＮＯが判定されると、Ｓ１５へ移行して、Ｓ１３による給水冷却工程開始から設定時間ｔ１内にブロー水タンク３内の水温が第二設定温度Ｔ２以下となっているかどうかを判定する。
【００６２】
Ｓ１５でＹＥＳが判定されると、Ｓ１９へ移行して、給水弁１３を閉じ、給水冷却工程を中止する。ＮＯが判定されると、Ｓ１６へ移行して、実施例１と同様の冷却水冷却工程が行われる。
【００６３】
こうして、ブロー水タンク３内のブロー水温度は、実施例１と同様に、第一設定温度Ｔ１未満に制御される。中和装置４は、中和制御器２４から第一設定温度Ｔ１未満の信号と、ブロー水タンク３の水位が冷却第一設定水位Ｈ以上であるとの信号を受けて、排水弁５を開き、中和処理を行う。
【００６４】
この実施例２によれば、給水タンク１４の水位制御ための給水要求が無くても、検出温度Ｔが第一設定温度Ｔ１以上を検出し、かつ給水タンク１４内水位が給水第三設定水位ＨＨ未満であると、制御器２５は、給水弁１３を開いて給水予熱器７への給水を開始するとともに、循環ポンプ６を駆動する。その結果、給水タンク１４の水位制御ための給水要求のみで、給水予熱器７への給水を行うものと比較して、速やかにブロー水タンク３内のブロー水温度を第一設定温Ｔ１度未満とすることができる。
【００６５】
また、この実施例２によれば、給水冷却工程によって検出温度Ｔが第二設定温度Ｔ２以下に低下しないと判定すると、冷却水がブロー水タンク３内へ供給されるので、ブロー水タンク３内の水温を第二設定値Ｔ２以下とすることができる。そして、検出温度Ｔが第一設定温度Ｔ１未満のとき、ブロー水タンク３から中和装置４へブロー水が供給されるので、中和装置４へ耐熱温度以上のブロー水が供給されることが防止され、中和装置４の耐久性を向上できるとともに、所期の中和処理性能を維持することができる。
【００６６】
さらに、第一水位検出器１６の給水第三設定水位ＨＨ以上となると、給水弁１３を閉じ、給水タンク１４への給水供給が停止されるので、給水タンク１４のオーバーフローが防止される。その時、給水予熱器７によるブロー水の冷却に代えて、冷却水の供給によるブロー水の冷却が行われるので、ブロー水の冷却は継続して行われる。
【００６７】
この発明は、前記実施例１に限定されるものではなく、例えば、制御器２５を給水制御器２３と中和制御器２４とから構成しているが、一つの制御器により、同じ制御手順を実行するように構成できる。また、実施例１は、前記給水冷却工程によっても水温検出器１８の検出温度が設定温度未満に低下しないとき、給水冷却工程と冷却水冷却工程とを行うように構成しているが、冷却水冷却工程のみ行うように構成することができる。
【符号の説明】
【００６８】
２                    ボイラ
３                    ブロー水タンク
４                    中和装置
５                    排水弁（ブロー水排出手段）
６                    循環ポンプ（ポンプ）
７                    給水予熱器（冷却用熱交換器）
８                    循環路
１１                    給水路
１３                    給水弁（給水供給手段）
１４                    給水タンク
１６                    第一水位検出器（水位検出器）
１８                    水温検出器
２１                    冷却水弁（冷却水供給手段）
【図１】
2012251685.tif 000003
【図２】
2012251685.tif 000004
【図３】
2012251685.tif 000005